(57)【要約】【課題】底壁部における水を適切に除去することのできる床付き布わくを提供する。【解決手段】本発明の床付き布わくＡは、長尺状の本体部１１と、この本体部１１の長手方向に沿う両側端縁から下方向に延出する側壁部１２と、各側壁部１２の下端から水平方向の内側に向けて延出する底壁部１３と、各底壁部１３の先端から上方向に延出する立ち上がり部１４とを一体的に形成した床材１が備えられている。床材１の底壁部１３に水抜き用の孔９が形成され、水抜き用の孔９は、床材１の長手方向の中央に想定される長手方向と直交する仮想中央線Ｃを外れた近傍位置に形成されている。【選択図】図３
2014080845.tif 000002
【特許請求の範囲】
【請求項１】
長尺状の本体部と、
この本体部の長手方向に沿う両側端縁から下方向に延出する側壁部と、
前記各側壁部の下端から水平方向の内側に向けて延出する底壁部と、
前記各底壁部の先端から上方向に延出する立ち上がり部とを一体的に形成した床材が少なくとも一つ備えられた床付き布わくであって、
前記床材の前記底壁部に水抜き用の孔が形成され、
前記水抜き用の孔は、
前記床材の長手方向の中央に想定される前記長手方向と直交する仮想中央線を外れた近傍位置に形成されていることを特徴とする、床付き布わく。
【請求項２】
前記水抜き用の孔は、前記両側の底壁部にそれぞれ形成され、
前記仮想中央線を境にして互いに反対側に形成されている、請求項１に記載の床付き布わく。
【請求項３】
前記水抜き用の孔は、前記両側の底壁部にそれぞれ形成され、
前記仮想中央線を基準にして同一側に形成されている、請求項１に記載の床付き布わく。
【請求項４】
前記床材の長手方向の両端部には、前記床材の端部を補強するためのはり材が設けられ、
前記床材の底壁部であって前記はり材の近傍に、他の水抜き用の孔がそれぞれ形成されている、請求項１ないし３のいずれかに記載の床付き布わく。
【発明の詳細な説明】
【技術分野】
【０００１】  本発明は、例えば建築現場等で組み立てられる仮設足場においてそれに用いられる床付き布わくに関するものである。
【背景技術】
【０００２】  従来、マンション等の建築物における新築、増改築又は改修工事（塗装、タイル貼り、防水補修又はひび補修等）が実施される建築現場においては、建築物の周囲に現場作業者が高所作業を行うための仮設足場が組み立てられる。仮設足場としては、例えば鳥居型の建枠や筋交い等で構成される枠組足場や、各部材の連結にくさびが用いられるくさび緊結式足場等が知られている。【０００３】  これらの仮設足場では、現場作業者が作業及び歩行するための仮設足場板として床付き布わく（例えば特許文献１参照）が用いられ、その一例を図６に示す。床付き布わくＡは、仮設足場の一部としての腕木材（図略）間に掛け渡すように設けられ、長尺状の第１床材１及び第２床材２と、これらの床材１，２を並設するためにそれらの端部同士にそれぞれ取付けられた２つの第１はり材３及び第２はり材４と、各床材１，２の端部に取付けられ腕木材に掛止するための複数のつかみ部材５と、床材１，２の長手方向に沿う側端部同士を連結する複数の補鋼部材６とによって構成されている。【０００４】  床材１，２は、補強のために長手方向に沿う両側端部が内側に巻き込むように折り返されて形成されている。すなわち、床付き布わくＡを底面側から見た図７に示すように、各床材１，２の側端部は、平面状の本体部１１の端縁から下方向に延出された側壁部１２と、側壁部１２の下端から水平方向の内側に向けて延出された底壁部１３と、さらに底壁部１３の先端から上方向に延出された立ち上がり部１４とを有する。なお、図７は、第２はり材４及びつかみ部材５を省略している。【０００５】  しかしながら、上記床付き布わくＡが例えば屋外に置かれていると、雨等に晒されて上記底壁部１３の内側表面に雨水が溜まることがある。そのため、仮設足場の組立時や解体時又は床付き布わくＡの運搬時に、溜まった雨水が現場作業者にかかることがある。また、溜まった雨水をそのまま放置しておくと、錆が発生する。そのため、底壁部１３や床材１，２、はり材３，４及び補鋼部材６の一部が部分的に腐食し、床付き布わくＡの強度に影響を及ぼすことがある。【０００６】  特に、床付き布わくＡでは、現場作業者がその表面を歩行したり荷物を置いたりすると、床付き布わくＡに応力が加わり、経年的に長手方向の中央部が若干撓み、その状態が維持されるようになる。中央部が撓むと、雨水がより溜まりやすくなり、上記したように現場作業者に雨水がかかったり、強度に影響を及ぼすといった不具合がより顕著となる。
【先行技術文献】
【特許文献】
【０００７】
【特許文献１】特開平１０−１５２９８４号公報
【発明の概要】
【発明が解決しようとする課題】
【０００８】  本発明は、上記した事情のもとで考え出されたものであって、中央部が経年変化で撓んだとしても底壁部における水を適切に除去することのできる床付き布わくを提供することをその課題とする。
【課題を解決するための手段】
【０００９】  本発明によって提供される床付き布わくは、長尺状の本体部と、この本体部の長手方向に沿う両側端縁から下方向に延出する側壁部と、前記各側壁部の下端から水平方向の内側に向けて延出する底壁部と、前記各底壁部の先端から上方向に延出する立ち上がり部とを一体的に形成した床材が少なくとも一つ備えられた床付き布わくであって、前記床材の前記底壁部に水抜き用の孔が形成され、前記水抜き用の孔は、前記床材の長手方向の中央に想定される前記長手方向と直交する仮想中央線を外れた近傍位置に形成されていることを特徴としている。【００１０】  本発明の床付き布わくにおいて、前記水抜き用の孔は、前記両側の底壁部にそれぞれ形成され、前記仮想中央線を境にして互いに反対側に形成されているとよい。【００１１】  本発明の床付き布わくにおいて、前記水抜き用の孔は、前記両側の底壁部にそれぞれ形成され、前記仮想中央線を基準にして同一側に形成されているとよい。【００１２】  本発明の床付き布わくにおいて、前記床材の長手方向の両端部には、前記床材の端部を補強するためのはり材が設けられ、前記床材の底壁部であって前記はり材の近傍に、他の水抜き用の孔がそれぞれ形成されているとよい。
【発明の効果】
【００１３】  本発明によれば、床材の底壁部に形成される水抜き用の孔は、床材の長手方向の中央に想定される仮想中央線を外れた近傍位置に形成されている。床材は、現場作業者が歩行したり荷物を置いたりすることにより、経年的に長手方向中央が下方に若干撓むようになるので、底壁部に溜まる水は、床材の長手方向中央に常時集まるようになり、床材の長手方向中央の近傍位置に形成された水抜き孔から確実に落下する。したがって、底壁部における水を適切に除去することができるので、錆や腐食を防止することができ、強度上の問題を生じさせることがない。
【図面の簡単な説明】
【００１４】
【図１】本発明に係る床付き布わくの底面図である。
【図２】図１に示す床付き布わくの部分側面図である。
【図３】図１に示す床付き布わくの部分底面図である。
【図４】応力が加わったときの床付き布わくを説明するための図である。
【図５】変形例の床材を示す部分底面図である。
【図６】従来の床付き布わくを示す斜視図である。
【図７】従来の床付き布わくを裏側から見た部分斜視図である。
【発明を実施するための形態】
【００１５】  以下、本発明の実施の形態につき、図面を参照して具体的に説明する。
【００１６】  本発明に係る床付き布わくは、図６及び図７に示す床付き布わくＡとその外観が同様のため、以下の説明では再び図６及び図７を参照し、同一機能の部材においては同符号を用いて説明する。ただし、本発明の床付き布わくＡは、細部の構成において従来の床付き布わくと異なっている。
【００１７】  図１は、本発明に係る床付き布わくＡの底面図であり、図２は、床付き布わくＡの部分側面図である。床付き布わくＡは、建築工事現場等の仮設足場において現場作業者が作業を行ったり歩行したりするために用いられる部材である。床付き布わくＡは、例えば仮設足場の一部材として平行配置された２つの腕木材（図略）間に掛け渡されて敷設される。
【００１８】  床付き布わくＡは、図１及び図６に示すように、長尺状の第１床材１及び第２床材２を有している。両床材１，２は、これらの上面同士がほぼ面一になるように配されている。床材１，２の表面には、下側に凹部となる溝条７（図１参照）やパンチング孔（図略）等が形成されている。溝条７は、床材１，２を補強するためのものである一方、パンチング孔は、現場作業者の歩行時の滑り止めとして機能する。
【００１９】  各床材１，２は、例えば鋼板からなり、その補強のために長手方向に沿う側端部が一体的に内側に巻き込まれるように折り返されて形成されている。すなわち、第１及び第２床材１，２は、図７に示したように、平板状の本体部１１と、本体部１１の長手方向に沿う端縁から下方向に延出された側壁部１２と、側壁部１２の下端から水平方向の内側に向けて延出された底壁部１３と、底壁部１３の端縁から上方向に延出された立ち上がり部１４とを備えている。
【００２０】  床付き布わくＡの短手方向に沿う両端部には、第１及び第２床材１，２を並設させるための第１はり材３及び第２はり材４がそれぞれ嵌合されて設けられている。各はり材３，４は、断面視で略コの字状に形成されており、長手方向の幅が、並設された第１及び第２床材１，２の短手方向同士の幅よりやや短くなるように形成されている。第１及び第２はり材３，４は、例えば第１及び第２床材１，２の端部において溶接されて取付けられている。第１及び第２はり材３，４は、側面視で開口側に極わずかに広がるようにテーパ状に形成されている。
【００２１】  また、床付き布わくＡの短手方向に沿う両端部の外側には、一対のつかみ部材５がそれぞれ設けられている。各つかみ部材５は、腕木材（図略）にそれぞれ掛止され、床付き布わくＡを隣り合う腕木材間同士に配置させるためのものである。これらつかみ部材５は、図２に示すように、第１及び第２床材１，２の側部内側に例えばリベット８止めされて設けられている。
【００２２】  また、各床材１，２のそれぞれには、長手方向と直交する方向に延び、底壁部１３同士を連結する第１ないし第３補鋼部材６ａ，６ｂ，６ｃが所定の間隔を隔てて設けられている（図１及び図６参照）。第１補鋼部材６ａは、各床材１，２の長手方向の第１はり材３寄りに配され、第２補鋼部材６ｂは、上記長手方向のほぼ中央に配され、第３補鋼部材６ｃは、上記長手方向の第２はり材４寄りに配されている。各補鋼部材６のそれぞれは、両端がやや幅広に形成され、第１及び第２床材１，２の底壁部１３において溶接等で取付けられている。なお、補鋼部材６は、図１及び図６に示した位置に取付けられていなくてもよく、あるいは床材１の長さによって全く取付けられていなくてもよい。
【００２３】  本実施形態においては、第１及び第２床材１，２の底壁部１３に複数の水抜き孔９が形成されている。水抜き孔９は直径約７ｍｍの略真円状に形成され、特に、図１及び図３に示すように、第１及び第２床材１，２の長手方向の中央に設定される仮想中央線Ｃから外れた近傍位置に形成されている。
【００２４】  より詳細には、複数の水抜き孔９は、第１ないし第４水抜き孔９ａ〜９ｄによって構成されている。第１水抜き孔９ａは、第１床材１の外側の底壁部１３において仮想中央線Ｃの近傍の第１はり材３寄りの位置に形成されている。第２水抜き孔９ｂは、第１床材１の内側の底壁部１３において仮想中央線Ｃの近傍の第２はり材４寄りの位置に形成されている。すなわち、第１及び第２水抜き孔９ａ，９ｂは、第１床材１の底壁部１３において仮想中央線Ｃを境にして互いに反対側に形成されている。
【００２５】  また、第３水抜き孔９ｃは、第２床材２の内側の底壁部１３において仮想中央線Ｃの近傍の第１はり材３寄りの位置に形成されている。第４水抜き孔９ｄは、第２床材２の外側の底壁部１３において仮想中央線Ｃの近傍の第２はり材４寄りの位置に形成されている。すなわち、第３及び第４水抜き孔９ｃ，９ｄは、第２床材２の底壁部１３において仮想中央線Ｃを境にして互いに反対側に形成されている。
【００２６】  本実施形態の床付き布わくＡでは、上記に示すように、複数の水抜き孔９が仮想中央線Ｃを外れた近傍位置に形成されているため、底壁部１３における水をより適切に除去することができる。
【００２７】  すなわち、床付き布わくＡでは、現場作業者が繰り返しその上を歩行したり荷物を置いたりするので、経年的な影響を受ける。具体的には、床付き布わくＡは、長尺状の第１及び第２床材１，２の両端部に設けられたつかみ部材５が仮設足場の腕木材に掛止されて用いられるので、床付き布わくＡ上を現場作業者が繰り返し歩行したり荷物を置いたりすると、図４に示すように、第１及び第２床材１，２の中央部に繰返し応力Ｆが加わる。また、床付き布わくＡを経年的に使用すると、中央部には自重が生じる。そのため、床付き布わくＡの中央部が常時下方に若干撓んだ状態になる。
【００２８】  そのため、底壁部１３における水は、撓んだ床付き布わくＡの中央に向かって常時集まるようになり、床付き布わくＡの仮想中央線Ｃの近傍位置に形成された水抜き孔９から効果的に落下する。
【００２９】  したがって、床付き布わくＡでは、底壁部１３に雨水等が溜まることを防止することができるので、仮設足場の組立時や解体時にこの床付き布わくＡを使用したとき、あるいは床付き布わくＡを運搬したときに、底壁部１３における雨水等が現場作業者にかかることを確実に防止することができる。また、底壁部１３の表面に雨水等が溜まることにより錆が生じ、床材２、はり材３又は補鋼部材６が部分的に腐食し、これらに強度上の問題が生じることを回避することができる。
【００３０】  また、この床付き布わくＡによれば、水抜き孔９は、仮想中央線Ｃの近傍位置に形成されており、仮想中央線Ｃ上には形成されていない。すなわち、床付き布わくＡ上を現場作業者が歩行すると、その長手方向においては仮想中央線Ｃ上に上記した応力Ｆが最も加わり、床材１，２の裏面には引張応力が生じることになる。しかしながら、本実施形態では、仮想中央線Ｃを外れた近傍位置に水抜き孔９が形成されることにより、上記引張応力をこれらの水抜き孔９に多少とも分散させることができる。そのため、床材１，２の強度が低下するといったことを可能な限り回避することができる。
【００３１】  また、本実施形態では、水抜き孔９は、仮想中央線Ｃを境にして互いに反対側に形成されているので、引張応力の分散方向が反対方向になり、床材１，２の強度低下を防止することができる。
【００３２】  なお、本実施形態では、図１に示すように、上記の水抜き孔９の他に、第１及び第２床材１，２の長手方向の両端部であって第１及び第２はり材３，４の近傍に、複数の他の水抜き孔１０が補助的に形成されている。
【００３３】  他の水抜き孔１０が形成されていることにより、例えば床付き布わくＡを用いて仮設足場を組み立てるときやそれを解体するとき、あるいは床付き布わくＡを運搬するときに、床付き布わくＡが傾けられた場合でも、いずれか側の他の水抜き孔１０から底壁部１３における水を自然に流れ落ちさせることができ、底壁部１３の水を確実に除去することができる。
【００３４】  図５は、水抜き孔の形成位置の変形例を示す図である。例えば第１床材１では、第２水抜き孔９ｂは、上記した形成位置とは異なり、仮想中央線Ｃの近傍の第１はり材３寄りの位置に形成されている。すなわち、第１及び第２水抜き孔９ａ，９ｂは、第１床材１の底壁部１３において仮想中央線Ｃを基準にして同一側に形成されている。また、第２床材２では、第３水抜き孔９ｃは、上記した形成位置とは異なり、仮想中央線Ｃの近傍の第２はり材４寄りの位置に形成されている。すなわち、第３及び第４水抜き孔９ｃ，９ｄは、第２床材２の底壁部１３において仮想中央線Ｃを基準にして同一側に形成されている。その他の構成については、上記した実施形態と同様である。
【００３５】  この変形例においても、第２及び第３水抜き孔９ｂ，９ｃが床付き布わくＡの仮想中央線Ｃの近傍位置に形成されているため、底壁部１３における雨水等を適切に落下させることができる。
【００３６】  なお、本発明の範囲は上述した実施の形態に限定されるものではなく、発明の範囲を逸脱しない範囲で種々の変更を行うことができる。例えば上記実施形態における床付き布わくＡを構成する床材１，２、はり材３，４、つかみ部材５及び補鋼部材６等の各部材の数、形態、大きさ及び構造等は、上記実施形態に限るものではなく適宜設計変更可能である。例えば、床材の数は一つでもよいし、三つ以上でもよい。また、床材１，２を構成する本体部１１、側壁部１２、底壁部１３及び立ち上がり部１４も適宜設計変更可能である。
【００３７】  また、水抜き孔９の数、形成位置等は、床付き布わくＡの強度を損なわず適切に水を落下させることができるものであれば、上記した実施形態に限るものではない。例えば、水抜き孔９は、一つの床材のいずれか一方の底壁部１３のみに形成されていてもよい。また、水抜き孔９の形状は、略真円状に限らず、略楕円形状あるいは他の形状であってもよく、孔による亀裂を生じさせることなく孔を介して水が流れ落ちる形状であるならば、その形状を問うものではない。
【符号の説明】
【００３８】  １    第１床材
２    第２床材
３    第１はり材
４    第２はり材
５    つかみ部材
６    補鋼部材
６ａ  第１補鋼部材
６ｂ  第２補鋼部材
６ｃ  第３補鋼部材
９    水抜き孔
９ａ  第１水抜き孔
９ｂ  第２水抜き孔
９ｃ  第３水抜き孔
９ｄ  第４水抜き孔
１０    他の水抜き孔
１１    本体部
１２    側壁部
１３    底壁部
１４    立ち上がり部
Ａ    床付き布わく
Ｃ    仮想中央線
【図１】
2014080845.tif 000003
【図２】
2014080845.tif 000004
【図３】
2014080845.tif 000005
【図４】
2014080845.tif 000006
【図５】
2014080845.tif 000007
【図６】
2014080845.tif 000008
【図７】
2014080845.tif 000009